(57)【特許請求の範囲】
【請求項１】
柄を有する上側押え板と、モップが下面に当てがわれる下側保持板とを備え、モップの両端を下側保持板の上面へと折り返し、上下両板間でモップの折り返し部分を挟持するモップ保持具において、
上下両板間のロック機構として、下側保持板には、互いに平行に延びる１対の係止部の両端部同士を弾性連結部によって一体に連結してなる係止ユニットを着脱自在に装着し、上記各係止部には張出し部を形成し、上側押え板には、張出し部を上側から押えることにより、弾性連結部の弾性に抗して上記張出し部に係合する係合爪を形成し、
ロック解除機構として、下方へと押込可能な解除ボタンを上側押え板に装着し、該解除ボタンには、下方押込時に上記張出し部に当接し弾性連結部の弾性に抗して両板間を縮めることによりロックを解除する解除用突起部を形成してあることを特徴とするモップ保持具。
【請求項２】
モップ保持具の長さ方向に間隔をおいた２カ所に、ロック機構及びロック解除機構を設けていることを特徴とする請求項１記載のモップ保持具。
【発明の詳細な説明】
【０００１】
【発明の属する技術分野】
この発明は、パイル付きあるいはシート状のモップ類を保持するモップ保持具に関し、特に、モップを保持具に対して着脱自在に取り付けることができるモップ保持具に関する。
【０００２】
【従来の技術】
モップを着脱自在に取り付けることができるモップ保持具の取付構造としては、一般的には、実公平７−４０３６０号に記載されているように、モップの端部に袋部を設け、該袋部に保持具の端部を挿入し、マジックテープあるいは適宜の挟み具に挟む構造や、実用新案登録３０１７５４５号のように保持具の上面にバックルを設け、モップの両端折曲部をバックルによって固定する構造や、あるいは実開平４−８９２５２号のように、保持具の背面に複数の突起を形成し、シート型モップの前後両端部に係合孔を形成し、保持具の下側に当てたモップの両端を折り返して、上記突起に係合する構造等がある。また、保持具背面に突起を形成し、一方モップの両端部には孔を形成し、モップを保持具の下側に当て、モップ両端を保持具背面へと折り返し、孔に前記突起を係合する構造もある。
【０００３】
【発明が解決しようとする課題】
上記モップ保持具は、いずれもモップの先端部を部分的に保持具に固定する構造なので、モップ全体を均一にかつ一定張力で固定することが困難であり、モップの途中にしわがよったり、あるいは清掃作業中に力を入れてこすり過ぎると、外れたりする。
【０００４】
上記課題を解決したモップ保持具として、本願出願人は、モップ保持具を上側押え板と下側保持板とに分割し、下側保持板の下面にあてたモップの両端を下側保持板の上面へと折り返し、上下両板間でモップの折り返し部分を挟持するモップ保持具を開発し、既に出願している（特願平９−１３２０５３号）。
【０００５】
【発明の目的】
本願発明は、基本的には、上記既出願のように上下両板間でモップの折り返し部分を挟持する構造を採用することにより、モップ全体にしわが寄らないように、モップ全体として均一な張力で保持具に取り付けることができるようにし、これに加え、ロック機構等に工夫を凝らすことにより、簡単かつ確実にモップを着脱できるようにすることを目的としている。
【０００６】
【目的を達成するための手段】
前記目的を達成するため、本願請求項１記載の発明によるモップ保持具は、柄を有する上側押え板と、モップが下面に当てがわれる下側保持板とを備え、モップの両端を下側保持板の上面へと折り返し、上下両板間でモップの折り返し部分を挟持するモップ保持具において、
上下両板間のロック機構として、下側保持板には、互いに平行に延びる１対の係止部の両端部同士を弾性連結部によって一体に連結してなる係止ユニットを着脱自在に装着し、上記各係止部には張出し部を形成し、上側押え板には、張出し部を上側から押えることにより、弾性連結部の弾性に抗して上記張出し部に係合する係合爪を形成し、
ロック解除機構として、下方へと押込可能な解除ボタンを上側押え板に装着し、該解除ボタンには、下方押込時に上記張出し部に当接し弾性連結部の弾性に抗して両板間を縮めることによりロックを解除する解除用突起部を形成してあることを特徴としている。
【０００７】
請求項２記載の発明は、請求項１記載のモップ保持具において、モップ保持具の長さ方向に間隔をおいた２カ所に、上記ロック機構及びロック解除機構を設けている。
【０００８】
【発明の実施の形態】
図１は本願発明を適用したモップ保持具の斜視図であり、保持具全体は、偏平で細長い直方体となっており、短手方向を前後方向と仮定して以下説明する。保持具は、前後両端に垂直な側壁４を有する硬質樹脂製の下側保持板１と、該保持板１に上側から被せられる硬質樹脂製の上側押え板２とから構成されている。上側押え板２の左右幅の中央部には、自在継手７を介して柄５が設けられており、上記柄５の先端部にはハンドルパイプ６が着脱自在に接続されている。このモップ保持具に取り付けられるパイル付きのモップ３は、下側保持板１の下面に配置され、その前後両端が下側保持板１の内側へと折り返され、該折り返し部分が両板１，２の間で挟持されている。上側押え板２には、左右方向に一定間隔を隔てた２カ所にロック解除ボタン１２が備えられている。
【０００９】
解除ボタン１２は、図４に示すように厚肉円板形に形成されており、該円板形部分の下面には、垂直下方に突出する解除用突起部１３が前後１対形成され、上側押え板２に形成されたボタン保持孔１１内に上方から嵌挿されている。解除用突起部１３は、左右幅の中間部に矩形状の切欠き２６が形成されると共に、下端部には傾斜面１３ａが形成されている。各傾斜面１３ａは、前後幅の中心側からそれぞれ前後端側へ行くに従い下方にくるように傾斜している。
【００１０】
図２は上側押え板２の単体の底面図を示しており、その裏面には、左右幅全長に亙る前後１対のリブ１０が下方突出状に一体形成されており、前記解除ボタン保持孔１１はおおむね上記前後リブ１０間に挟まれるように前後幅の中央部に配置されている。
【００１１】
図３は下側保持板１の底面図を示しており、前記図２の解除ボタン保持孔１１に対応する位置には、左右方向に細長い矩形状のユニット装着孔１５が形成され、各装着孔１５にはロック機構として用いる係止ユニット１６が嵌着されている。各装着孔１５の前後端縁には、それぞれ左右１対の段状の切欠き１５ａが形成されており、係止ユニット１６を着脱し易くなっている。
【００１２】
図８は前記係止ユニット１６の単体の平面図であり、互いに平行な前後１対の細長い係止部１７と、これらの左右両端部同士を一体に連結する１対のＵ字形の弾性連結部１８とから、全体として左右に細長い偏平リング形状に形成されている。この係止ユニット１６は樹脂で一体成形されており、弾性連結部１８は撓み自在であり、この弾性連結部１８の弾力に抗して、両係止部１７の前後間隔を一定量狭めることができるようになっている。
【００１３】
図９は上下の板２，１を分離して示す縦断面図であり、下側保持板１の前後端部には、前記側壁４から前後幅中心側へと広がる段丘部２０が一体に形成されており、該段丘部２０は下側保持板１の左右幅全長に亙って形成されており、上側押え板２の前後端部が圧接するようになっている。装着孔１５の周縁には、上方へと突出する角形のユニットボックス２１が保持板１と一体成形されており、該ユニットボックス２１内に前記係止ユニット１６が嵌着されている。ユニットボックス２１の下面は前記装着孔１５を介して下方に開口している。
【００１４】
両係止部１７の上端部には、前記解除ボタン１２の突起部１３の下端傾斜面１３ａに対向する傾斜面２４を有する張出し部２３が一体に形成されており、前側の係止部１７の傾斜面２４は前下がりに傾斜し、後側の係止部１７の傾斜面２４は後下がりに傾斜しており、両張出し部２３は、ユニットボックス２１の前後壁に形成された開口２７からそれぞれ前後に突出し、各傾斜面２４をユニットボックス２１外へ露呈している。ユニットボックス２１の前後壁からそれぞれ前後に一定距離隔てた箇所には、垂直なガイド壁２８が立設されており、上下両板２，１を組み立てた時に、上側押え板２のリブ１０が前後に開かないように規制する。
【００１５】
上側押え板２は、前側リブ１０よりも前側部分が前下がり状に緩やかに傾斜し、後ろ側リブ１０よりも後ろ側部分が後ろ下がり状に緩やかに傾斜しており、全体としての断面形状が緩やかな山形に形成されている。ボタン保持孔１１は、解除ボタン１２の円形部分が一定量上下摺動できる深さを有しており、前後に形成された段部２９により最下端位置を規制できるようになっている。解除ボタン１２の突起部１３は、前後のリブ１０にそれぞれほぼ摺接している。前後のリブ１０の下端には、前後幅の中心側へと突出する係合爪３０が形成されており、各係合爪３０は突起部１３の切欠き２６内に突出しており、前記係止ユニット１６の傾斜面２４に対向する傾斜面３１を有している。
【００１６】
図１０は図９のＸ−Ｘ断面図であり、係止部１７の張出し部２３の左右方向の幅は、ボックス２１の開口２７の概ね全幅にわたっており、前述のように解除ボタン１２の突起部１３及びリブ１０の係合爪３０のいずれにも対応している。開口２７の上端は、概ね解除ボタンの突起部１３の左右幅に概ね対応する幅に切欠き２７ａが形成されている。
【００１７】
図６において、前後１対のガイド壁２８は、係止部１７の左右幅よりも長く、係止部１７の左右方向全幅を間隔をおいて前後から囲むように形成されている。下側保持板１の側壁４の上端には、左右方向に間隔をおいた数箇所に、外れ止め用の突起３５が形成されている。
【００１８】
図５は上側押え板２の拡大底面図であり、リブ１０と係合爪３０の位置関係並びに解除ボタン１２の解除用突起部１３との位置関係を明確にしている。
【００１９】
取付方法を説明する。図９に仮想線で示すように、下側保持板１の下面にモップ３を当て、モップ３の前後両端をそれぞれ前後の側壁４の表面を経て保持板１内の上面側へと折り返す。
【００２０】
次に、下側保持板１の上に上側押え板２を被せ、その前後両端部を側壁４の突起３５の下側にはめ込み、上側押え板２のリブ１０に対応する前後幅の中央部分を下方へと押え込む。そうすると、リブ１０の係合爪３０の傾斜面３１が係止部１７の傾斜面２４に当接して下方へと押圧し、前後の両係止部１７を弾性連結部１８の弾力に抗して前後幅中心側へと撓ませ、係合爪３０が張出し部２３の下側にはまり込む。これにより図７に示すように係止爪３０と張出し部２３が噛み合い、上側押え板２と下側保持板１とがロックされ、かつ、上側押え板２の前後端部と段丘部２０との間でモップ３の折り返し部分が挟持される。この時、解除ボタン１２は係止部１７の張出し部２３に当接することにより、上方へと押し上げられた状態となっている。
【００２１】
図７に示す取付状態において、上側押え板２は、その装着時に前後両翼部分がある程度撓む程度に中央部分を強く押え込んでいるので、モップ３の折り返し部分は、上側押え板２自身の弾性によって強く段丘面２０の押し付けられ、これによりモップ３はしっかりと挟持される。特に、図７のような側壁４と段丘面２０を有する保持板１では、段丘面２０と側壁４との間の角隅部分に、モップ３を押え板２の前後端部によって押し付けることになるので、挟持状態が安定し、モップ３がずれるのを効果的に防止することができる。
【００２２】
また、図７に示す取付状態において、モップ３の折り返し部分は、その左右幅の全長にわたり、上側押え板２と段丘面２０との間で挟持されており、これによりモップは、しわが寄ることなく、左右幅の全長にわたって略均一な張力で固定されていることになる。
【００２３】
モップ３を取り外す場合には、図７の組立状態から左右の解除ボタン１２を下方へと押し込む。そうすると、解除用突起部１３が係止部１７を下方へと押圧し、両者の傾斜面１３ａ，２４同士の圧接により、両係止部１７を弾性連結部１８の弾性に抗して前後幅の中心側に撓ませ、係合爪３０と張出し部２３との係合（ロック）を解除し、上側押え板２と下側保持板１とを分離する。こうすることにより、作業員は汚れたモップ３にほとんど手を触れる事なく、モップを取り外すことができる。
【００２４】
【その他の実施の形態】
（１）図１１及び図１２は変形例を示しており、下側保持板１に仮止め用片４２を形成すると共にストッパー壁４ｂを形成した例である。図１１において、該仮止め用片４２は、ガイド壁２８からそれぞれ前後の突出し、先端に鏃状の反しが形成されている。モップ３を取り付ける場合、モップ３の前後端部を折り返した時に、上記仮止め用片４２の下側に挿入して仮止め状態としておく。そして該仮止め状態で上側押え板２をはめ込み、前述と同様に両板２．１をロックする。これにより、取付作業時にモップ３が緩んだり、あるいはずれたりするのを防ぐことができ、しっかりとした状態でモップ３を挟持することができる。
【００２５】
図１２において、ストッパー壁４ｂは、下側保持板１の左右両端縁に保持板１と一体に樹脂成形されており、該ストッパー壁４ｂにより、下側保持板１に対して上側押え板２の左右のずれを防止する。
【００２６】
（２）図８に示す係止ユニット１６は、Ｕ字形の弾性連結部１８により前後の係止部１７を一体に連結しているが、コの字形あるいはＶ字形の弾性連結部とすることも可能である。
【００２７】
（３）モップとして、シート状の使い捨てモップを取り付けるモップ保持具に適用することも可能である。
【００２８】
【発明の効果】
以上説明したように本願発明によると、
（１）モップ保持具を、上側押え板２と、下側保持板１とに分割し、下側保持板１の下面に当てたモップ３の前後両端を保持板１の上面に折り返し、ロック機構により両板１，２間をロックすると共に両板１，２間でモップ３の折り返し部分を挟持するようにしているので、モップ３の着脱を簡単に行えると共に、モップ３を保持するための特別のクリップ機構を必要とせず、構造も簡素化することができる。
【００２９】
（２）モップ３の前後両端部の全域を保持板１内に折り込んで上側押え板２との間で挟持するので、モップ全体を略均一に張った状態で保持することができ、清掃作業中にモップが緩んでしわになる心配はなく、スムーズに清掃作業が行える。
【００３０】
（３）ロック機構として、１対の係止部１７を弾性連結部１８により連結してなる係止ユニット１６を下側保持板１に装着し、上側押え板２に上記係止部１７に係合する１対の係止爪３０を形成し、係止ユニット１６の両側から１対の係止爪３０で係合するようにしているので、強固にロックすることができてロック状態が安定すると共に、たとえ弾性連結部１８が疲労してもそれを交換することにより、簡単に再生することができる。
【００３１】
（４）ロック解除機構として、下方へと押し込むことにより、係止部１７間を縮めて係合爪３０から係合部１７を外す解除ボタン１２を備えているので、一定期間使用後にモップを取り外す時、手を汚さずに簡単にロック解除することができる。
【００３２】
（５）請求項２記載の発明のように、モップ保持具の長さ方向に間隔をおいた２カ所に、ロック機構及びロック解除機構を設けていると、例えば左右長い業務用の大形モップ保持具においても、そのロック状態が安定し、清掃作業がスムーズになる。
【図面の簡単な説明】
【図１】  本願発明を適用したモップ保持具の全体斜視図である。
【図２】  上側押え板の単体の底面図である。
【図３】  下側保持板の単体の底面図である。
【図４】  上側押え板の解除ボタン部分の拡大分解斜視図である。
【図５】  上側押え板の解除ボタン部分の拡大底面図である。
【図６】  下側保持板のロック機構部分の拡大平面図である。
【図７】  図１のモップ保持具の解除ボタンを通る垂直切断面による縦断側面図である。
【図８】  係止部の単体の平面図である。
【図９】  上下両板を分解した状態で示す図７と同じ箇所の縦断側面図である。
【図１０】  図９のＸ−Ｘ断面図である。
【図１１】  本願発明の変形例を示す図７と同様の縦断面図である。
【図１２】  図１１のXII-XII断面図である。
【符号の説明】
１  下側保持板
２  上側押え板
３  モップ
１２  ロック解除ボタン
１３  解除用突起部
１６  係止ユニット
１７  係止部
１８  弾性連結部
２３  張出し部
２４  傾斜面
３０  係合爪
３１  傾斜面
【図１】
0003769108.tif 000002
【図２】
0003769108.tif 000003
【図３】
0003769108.tif 000004
【図４】
0003769108.tif 000005
【図５】
0003769108.tif 000006
【図６】
0003769108.tif 000007
【図７】
0003769108.tif 000008
【図８】
0003769108.tif 000009
【図９】
0003769108.tif 000010
【図１０】
0003769108.tif 000011
【図１１】
0003769108.tif 000012
【図１２】
0003769108.tif 000013